(57)【特許請求の範囲】
【請求項１】
配電盤等の筐体内に引出可能に収納され前記筐体内に設けられた接続導体に接続されて前記接続導体を含む電気回路を開閉する引出形回路遮断器本体と、前記引出形回路遮断器本体に装着される端子装置と、前記端子装置に装着される相間絶縁板とを備えた引出形回路遮断器であって、前記端子装置は、前記回路遮断器本体の入力側に接続される複数の入力側端子と、前記引出形回路遮断器本体の出力側に接続される複数の出力側端子と、前記複数の入力側端子と前記複数の出力側端子とを相毎に対応させて配列した端子台とを備え、前記相間絶縁板は、前記複数の入力側端子の相間に配設される第１の絶縁板部と、前記複数の出力側端子の相間に配設される第２の絶縁板部と、前記第１の絶縁板部と前記第２の絶縁板部との間に設けられた切離部と、前記第１の絶縁板部と前記切離部との間及び前記第２の絶縁板部と前記切離部との間に夫々設けられた脆弱部とを備え、前記切離部は、前記脆弱部により前記第１の絶縁板部と前記第２の絶縁板部とから切離し可能に構成され、前記端子台は、前記第１の絶縁板部を着脱自在に係合する第１の係合部と、前記第２の絶縁板部を着脱自在に係合する第２の係合部とを備えたことを特徴とする引出形回路遮断器。
【請求項２】
配電盤等の筐体内に引出可能に収納される引出形回路遮断器本体に装着される端子装置であって、前記引出形回路遮断器本体の入力側に接続される複数の入力側端子と、前記引出形回路遮断器本体の出力側に接続される複数の出力側端子と、前記複数の入力側端子と前記複数の出力側端子とを相毎に対応させて配列した端子台とを備え、前記端子台は、前記複数の入力側端子の相間に配設される第１の絶縁板部を着脱自在に係合する第１の係合部と、前記複数の出力側端子の相間に配設される第２の絶縁板部を着脱自在に係合する第２の係合部と、前記入力側端子と前記出力側端子との間に挿入されて前記入力側端子と前記出力側端子との間を仕切る仕切板に係合し得る仕切板係合部を備えたことを特徴とする引出形回路遮断器の端子装置。
【請求項３】
前記仕切板係合部は、前記仕切板の位置決めを行う位置決め溝を備え、前記位置決め溝は、異なる板厚の前記仕切板に対応する複数の位置決め溝により構成されていることを特徴とする請求項２に記載の引出形回路遮断器の端子装置。
【請求項４】
配電盤等の筐体内に引出可能に収納される引出形回路遮断器の端子装置に装着される相間絶縁板であって、前記端子装置の複数の入力側端子の相間に配設される第１の絶縁板部と、前記端子装置の複数の出力側端子の相間に配設される第２の絶縁板部と、前記第１の絶縁板部と前記第２の絶縁板部との間に設けられた切離部と、前記第１の絶縁板部と前記切離部との間及び前記第２の絶縁板部と前記切離部との間に夫々設けられた脆弱部とを備え、前記切離部は、前記脆弱部により前記第１の絶縁板部と前記第２の絶縁板部とから切離し可能に構成されたことを特徴とする端子装置の相間絶縁板。
【請求項５】
前記脆弱部は、断面が略Ｖ字形に形成された溝により構成されたことを特徴とする請求項４に記載の端子装置の相間絶縁板。
【請求項６】
前記脆弱部は、前記相間絶縁板をその板厚方向に貫通する複数の貫通孔により構成されたことを特徴とする請求項４に記載の端子装置の相間絶縁板。
【発明の詳細な説明】
【技術分野】
【０００１】
この発明は、閉鎖配電盤等の筐体内に引出し可能に収納される引出形回路遮断器と、引出形回路遮断器に装着される端子装置、及びその端子装置に装着される相間絶縁板に関するものである。
【背景技術】
【０００２】
従来の引出形回路遮断器の端子装置は、１対の側板の間に設けられた１対のアングルに固定された絶縁成型物製の端子台を備えている。この端子台には、通常上方に配置される上側にＲ相の入力側端子、Ｓ相の入力側端子及びＴ相の入力側端子が配設され、その下側にＲ相の出力側端子、Ｓ相の出力側端子及びＴ相の出力側端子が取り付けられている。
【０００３】
更に、端子台には、Ｒ相の入力側端子及び出力側端子とＳ相の出力側端子及び入力側端子との間に上下方向の溝が形成され、同様にＳ相の入力側端子及び出力側端子とＴ相の入力側端子及び出力側端子との間に上下方向の溝が形成され、夫々の溝には相間絶縁板が嵌め込まれてＲ相とＳ相の端子間及びＳ相とＴ相の端子間を絶縁するようにしている（例えば、特許文献１参照）。尚、引出形回路遮断器を収納する閉鎖配電盤は、仕切板により、母線室と、ケーブル室と、引出形遮断器が収納される引出形機器室とに仕切られている（例えば、特許文献２参照）。
【０００４】
【特許文献１】特許第３８５３０６４号公報
【特許文献２】特開平５-２２７６１６号公報
【発明の開示】
【発明が解決しようとする課題】
【０００５】
以上のように構成された従来の引出形回路遮断器の端子装置は、引出形回路遮断器を閉鎖配電盤の筐体内に収納させたときに、引出形回路遮断器の端子装置に設けられた相間絶縁板が閉鎖配電盤の仕切板に接触し、引出形遮断器を筐体内に収納できない場合が生じるという課題があった。
【０００６】
この発明は、従来の装置に於けるこのような課題を解決するためになされたもので、閉鎖配電盤等の筐体内に仕切板が設けられていても、支障なくその筐体内に収納することができる引出形回路遮断器を得ることを目的としたものである。
【０００７】
又、この発明は、閉鎖配電盤等の筐体内に仕切板が設けられていても、引出形回路遮断器を支障なくその筐体内に収納することができるようにした端子装置を得ることを目的としたものである。
【０００８】
更に、この発明は、閉鎖配電盤等の筐体内に仕切板が設けられていても、引出形回路遮断器を支障なくその筐体内に収納することができるようにした引出形回路遮断器の端子装置に装着される相間絶縁板を得ることを目的としたものである。
【課題を解決するための手段】
【０００９】
この発明に係る引出形回路遮断器は、配電盤等の筐体内に引出可能に収納され前記筐体内に設けられた接続導体に接続されて前記接続導体を含む電気回路を開閉する引出形回路遮断器本体と、前記引出形回路遮断器本体に装着される端子装置と、前記端子装置に装着される相間絶縁板とを備えた引出形回路遮断器であって、前記端子装置は、前記回路遮断器本体の入力側に接続される複数の入力側端子と、前記引出形回路遮断器本体の出力側に接続される複数の出力側端子と、前記複数の入力側端子と前記複数の出力側端子とを相毎に対応させて配列した端子台とを備え、前記相間絶縁板は、前記複数の入力側端子の相間に配設される第１の絶縁板部と、前記複数の出力側端子の相間に配設される第２の絶縁板部と、前記第１の絶縁板部と前記第２の絶縁板部との間に設けられた切離部と、前記第１の絶縁板部と前記切離部との間及び前記第２の絶縁板部と前記切離部との間に夫々設けられた脆弱部とを備え、前記切離部は、前記脆弱部により前記第１の絶縁板部と前記第２の絶縁板部とから切離し可能に構成され、前記端子台は、前記第１の絶縁板部を着脱自在に係合する第１の係合部と、前記第２の絶縁板部を着脱自在に係合する第２の係合部とを備えたものである。
【００１０】
又、この発明に係る引出形回路遮断器の端子装置は、配電盤等の筐体内に引出可能に収納される引出形回路遮断器本体に装着される端子装置であって、前記引出形回路遮断器本体の入力側に接続される複数の入力側端子と、前記引出形回路遮断器本体の出力側に接続される複数の出力側端子と、前記複数の入力側端子と前記複数の出力側端子とを相毎に対応させて配列した端子台とを備え、前記端子台は、前記複数の入力側端子の相間に配設される第１の絶縁板部を着脱自在に係合する第１の係合部と、前記複数の出力側端子の相間に配設される第２の絶縁板部を着脱自在に係合する第２の係合部と、前記入力側端子と前記出力側端子との間に挿入されて前記入力側端子と前記出力側端子との間を仕切る仕切板に係合し得る仕切板係合部を備えたものである。
【００１１】
更に、この発明に係る端子装置の相間絶縁板は、配電盤等の筐体内に引出可能に収納される引出形回路遮断器の端子装置に装着される相間絶縁板であって、前記端子装置の複数の入力側端子の相間に配設される第１の絶縁板部と、前記端子装置の複数の出力側端子の相間に配設される第２の絶縁板部と、前記第１の絶縁板部と前記第２の絶縁板部との間に設けられた切離部と、前記第１の絶縁板部と前記切離部との間及び前記第２の絶縁板部と前記切離部との間に夫々設けられた脆弱部とを備え、前記切離部は、前記脆弱部により前記第１の絶縁板部と前記第２の絶縁板部とから切離し可能に構成されたものである。
【発明の効果】
【００１２】
この発明による引出形回路遮断器によれば、端子装置が、回路遮断器本体の入力側に接続される複数の入力側端子と、引出形回路遮断器本体の出力側に接続される複数の出力側端子と、複数の入力側端子と複数の出力側端子とを相毎に対応させて配列した端子台とを備え、前記相間絶縁板が、複数の入力側端子の相間に配設される第１の絶縁板部と、複数の出力側端子の相間に配設される第２の絶縁板部と、第１の絶縁板部と第２の絶縁板部との間に設けられた切離部と、第１の絶縁板部と切離部との間及び第２の絶縁板部と切離部との間に夫々設けられた脆弱部とを備え、切離部は、脆弱部により第１の絶縁板部と第２の絶縁板部とから切離し可能に構成され、端子台は、第１の絶縁板部を着脱自在に係合する第１の係合部と、第２の絶縁板部を着脱自在に係合する第２の係合部とを備え備えているので、閉鎖配電盤等の筐体内に仕切板が設けられていても、脆弱部により切離部を第１の絶縁板部と第２の絶縁板部から切離すことにより、仕切板に遮られることなく筐体内に支障なく収納することができる。
【００１３】
又、この発明による引出形回路遮断器の端子装置によれば、引出形回路遮断器本体の入力側に接続される複数の入力側端子と、引出形回路遮断器本体の出力側に接続される複数の出力側端子と、複数の入力側端子と複数の出力側端子とを相毎に対応させて配列した端子台とを備え、端子台が、複数の入力側端子の相間に配設される第１の絶縁板部を着脱自在に係合する第１の係合部と、複数の出力側端子の相間に配設される第２の絶縁板部を着脱自在に係合する第２の係合部と、入力側端子と出力側端子との間に挿入されて入力側端子と出力側端子との間を仕切る仕切板に係合し得る仕切板係合部を備えているので、閉鎖配電盤等の筐体内に仕切板が設けられていても、切離された第１の絶縁板部と第２の絶縁板部とを装着することにより、仕切板に遮られることなく引出形回路遮断器を筐体内に支障なく収納することができと共に、仕切板を仕切板係合部に係合させることにより仕切板との係合を確実にすることができる。
【００１４】
更に、この発明の端子装置の相間絶縁板によれば、端子装置の複数の入力側端子の相間に配設される第１の絶縁板部と、端子装置の複数の出力側端子の相間に配設される第２の絶縁板部と、第１の絶縁板部と第２の絶縁板部との間に設けられた切離部と、第１の絶縁板部と切離部との間及び第２の絶縁板部と切離部との間に夫々設けられた脆弱部とを備え、切離部は、脆弱部により第１の絶縁板部と第２の絶縁板部とから切離し可能に構成され構成されているので、閉鎖配電盤等の筐体内に仕切板が設けられていても、脆弱部により切離部を第１の絶縁板部と第２の絶縁板部とから切離すことにより、仕切板に遮られることなく引出形回路遮断器を筐体内に支障なく収納することができる。
【発明を実施するための最良の形態】
【００１５】
実施の形態１．
以下、この発明の実施の形態１に係る引出形回路遮断器、その引外形回路遮断器に装着
される端子装置、及びその端子装置に装着される相間絶縁板について図を参照して説明す
る。
【００１６】
図１は、この発明の実施形態１に於ける引出形回路遮断器の裏面を示す斜視図、図２
は、この発明の実施の形態１に於ける相間絶縁板を１方の面から示す斜視図、図３は、そ
の相間絶縁板を他方の面から示す斜視図、図４は、この発明の実施の形態１に於ける端子
装置に相間絶縁板を装着する前の状態を示す説明図、図５は、この発明の実施の形態１に
於ける端子装置に相間絶縁板を装着した状態を示す説明図、図６は、この発明の実施形態
１に於ける引出形回路遮断器を閉鎖配電盤の筐体内に収納した状態を示す主要部の斜視図、
図７は、この発明の実施の形態１に於ける端子装置に分割した相間絶縁板を装着する前の状態を示す説明図、図８は、端子装置に分割した相間絶縁板を装着した状態を示す説明図、図９は、仕切板係合部の斜視図である。
【００１７】
図１乃至図９に於いて、引出形回路遮断器１００は、引出形回路遮断器本体１１０を備え、閉鎖配電盤の筐体（図示せず）内に引出可能に収納される。引出形回路遮断器本体１１０の裏面には、端子装置１が装着されている。又、引出形遮断器本体１１０は、周知のように、固定接点と可動接点とを備え、表面側に設けられた操作ハンドルの操作により、可動接点を固定接点から乖離させることにより回路を遮断し、可動接点を固定接点に接触させることにより回路を閉じる。又、回路に過電流が流れたとき、引外し機構により可動接点を固定接点から自動的に乖離させて回路を遮断するよう構成されている。
【００１８】
端子装置１は、引出形回路遮断器本体１１０の両側部に固定された１対の側板１０１、１０２の間に固定された絶縁物製の端子台２を備えている。端子台２には、Ｒ相の入力側端子３、Ｓ相の入力側端子４、及びＴ相の入力側端子５と、Ｒ相の出力側端子６、Ｓ相の出力側端子７、及びＴ相の出力側端子８とが固定されている。
【００１９】
引出形回路遮断器１００は、通常、図１に示す上下の位置関係で閉鎖配電盤の筐体内に収納され、端子台２の上側に、Ｒ相の入力側端子３、Ｓ相の入力側端子４、及びＴ相の入力側端子５が配列され、端子台２の下側に、Ｒ相の出力側端子６、Ｓ相の出力側端子７、及びＴ相の出力側端子８が配列されている。従がって、Ｒ相の入力側端子３とＲ相の出力側端子６とが上下に対応して配列され、Ｓ相の入力側端子４とＳ相の出力側端子７とが上下に対応して配列され、Ｔ相の入力側端子５とＴ相の出力側端子８とが上下に対応して配列されている。
【００２０】
Ｒ相の入力側端子３、Ｓ相の入力側端子４、及びＴ相の入力側端子５は、夫々、引出形回路遮断器本体１１０の入力端子（図示せず）にネジ等により着脱自在に接続され、Ｒ相の出力側端子６、Ｓ相の出力側端子７、及びＴ相の出力側端子８は、夫々、引出形回路遮断器本体１１０の出力端子（図示せず）にネジ等により着脱自在に接続されている。引出形回路遮断器１００が閉鎖配電盤の筐体内に収納されたとき、Ｒ相の入力側端子３、Ｓ相の入力側端子４、及びＴ相の入力側端子５は、夫々、閉鎖配電盤の筐体内に設けられた電源側の接続導体（図示せず）に接続され、Ｒ相の出力側端子６、Ｓ相の出力側端子７、及びＴ相の出力側端子８は、夫々、閉鎖配電盤の筐体内に設けられた負荷側の接続導体（図示せず）に接続される。
【００２１】
端子台２は、その表面側に、Ｒ相の入力側端子３とＳ相の入力側端子４との間、及びＲ相の出力側端子６とＳ相の出力側端子７との間に、図の縦方向に直線状に延びる第１の絶縁板挿入溝２１が形成され、又、Ｓ相の入力側端子４とＴ相の入力側端子５との間、及びＳ相の出力側端子７とＴ相の出力側端子８との間に、図の縦方向に直線状に延びる第２の絶縁板挿入溝２２が形成されている。
【００２２】
第１の絶縁板挿入溝２１、及び第２の絶縁板挿入溝２２の長さ方向の両端部、即ち、図１に於ける上方端及び下方端は、夫々開口している。又、第１の絶縁板挿入溝２１、及び第２の絶縁板挿入溝２２の、夫々の上方端の相対向する両側の内壁に、夫々の溝の幅方向に突出する１対の第１の凸起部２ａが形成されている。
【００２３】
更に、第１の絶縁板挿入溝２１、及び第２の絶縁板挿入溝２２の、夫々の下方端の相対向する両側の内壁に、夫々の溝の幅方向に突出する１対の第２の凸起部２ｂが形成されている。又、夫々の第１の絶縁板挿入溝２１、及び第２の絶縁板挿入溝２２の長さ方向のほぼ中央部の相対向する両側の内壁に、夫々の溝の幅方向に突出する１対の第３の凸起部２ｃが形成されている。
【００２４】
尚、図４には、第１の絶縁板挿入溝２１の１方の内壁のみが示されているが、他方の内壁も同様であり、更に第２の絶縁板挿入溝２２も第１の絶縁板挿入溝２１と同様に形成されている。第１の突起部２ａと第３の突起部２ｃとは、後述の第１の絶縁板部に係合する第１の係合部を構成し、第２の突起部２ｂと第３の突起部２ｃとは、後述の第２の絶縁板部に係合する第２の係合部を構成する。
【００２５】
又、端子台２の表面に、閉鎖配電盤の筐体内に設けられた後述の仕切板に係合する４個の仕切板係合部１１が設けられている。これらの仕切板係合部１１は、上方のＲ相の入力側端子３、Ｓ相の入力側端子４、Ｔ相の入力側端子５と、下方のＲ相の出力側端子６、Ｓ相の出力側端子７、Ｔ相の出力側端子８との間にほぼ水平方向に配列されている。
【００２６】
仕切板係合部１１は、図９に示すように、溝幅の小さい第１の位置決め溝１１ａと、溝幅の大きい第２の位置決め溝１１ｂとを備え、第１の位置決め溝１１ａは第２の位置決め溝１１ｂの底部の中央部に形成されている。第１の位置決め溝１１ａは、閉鎖配電盤の匡体内に設けられた仕切板１０（図６、図８参照）の板厚が大きい場合に用いられ、その仕切板１０に嵌合して係合する。第２の位置決め溝１１ｂは、仕切板１０の板厚が小さい場合に用いられ、その仕切板１０に嵌合して係合する。仕切板１０は、位置決め溝１１ａ又は１１ｂに係合することにより、端子台２に対する位置決めが行われる。
【００２７】
仕切板１０は、その板厚が大きい場合と小さい場合とがあり得るが、何れも閉鎖配電盤の設計に基づく既知の値である場合が多く、それに対応して仕切板係合部１１の第１の位置決め溝１１ａ、第２の位置決め溝１１ｂの溝幅を形成しておけばよく、又、位置決め溝は２個に限られるものではなく、必要に応じて２個以上、若しくは１個としてもよい。
【００２８】
次に、端子装置１の端子台２に装着される相間絶縁板９について説明する。図２及び図３によく示されるように、相間絶縁板９は、例えば、熱可塑性樹脂から形成されており、第１の絶縁板部９ａと、第２の絶縁板部９ｂと、相間絶縁板９の略中央部に位置し第１の絶縁板部９ａと第２の絶縁板部９ｂとに脆弱部９ｄにより連結されている切離部９ｃとを備えている。
【００２９】
脆弱部９ｄは、図示されるように断面が略Ｖ字形に形成された凹溝により形成されており、この脆弱部９ｄを手で折り曲げて切断することにより、切離部９ｃを第１の絶縁板部９ａと第２の絶縁板部９ｂとから切離すことができる。この場合、相間絶縁板９は、第１の絶縁部９ａと第２の絶縁部９ｂの、２部品に分割されることになる。尚、図示していないが、脆弱部９ｄは、略Ｖ字形断面の凹溝に代えて、連設して複数個の貫通孔により構成してもよい。
【００３０】
第１の絶縁板部９ａは、板厚が大きく形成された端縁部９ｉと側縁部９ｊとを備え、側縁部９ｊの板厚は端縁部９ｉの板厚より小さく設定されている部位を備えている。側縁部９ｊの端縁部９ｉ側の両側面には、１対の凸条からなる第１の係止部９ｅが設けられ、側縁部９ｊの反端縁部９ｉ側の両側面には、１対の凸条からなる第２の係止部９ｆが設けられている。第１の係止部９ｅと第２の係止部９ｆの板厚方向の寸法は、端縁部９ｉの板厚と同一に形成されている。
【００３１】
第２の絶縁板部９ｂは、板厚が大きく形成された側縁部９ｋを備え、この側縁部９ｋの端縁部９ｍ側の両側面には、１対の凸条からなる第１の係止部９ｇが設けられ、側縁部９ｋの反端縁部９ｍ側の両側面には、１対の凸条からなる第２の係止部９ｈが設けられている。第１の係止部９ｋと第２の係止部９ｈの板厚方向の寸法は、端縁部９ｋの板厚と同一に形成されている。
【００３２】
相間絶縁板９の切離部９ｃは、第１の絶縁板部９ａと第２の絶縁板部９ｂの側縁部９ｊ、９ｋと同一の板厚に形成された側縁部９ｎを備えている。
【００３３】
以上のように構成されたこの発明の実施の形態１に係る引出形回路遮断器１００に於いて、先ず、閉鎖配電盤の匡体内に仕切板１０が設けられていない場合に於ける相間絶縁板９の装着について説明する。
【００３４】
図４に於いて、相間絶縁板９は、第１の絶縁板部９ａと第２の絶縁板部９ｂと切離部９ｃとが脆弱部９ｄにより一体に連結された状態にある。この相間絶縁板９を、端子台２に対して図４に示す位置から、矢印Ａの方向に移動させてその側縁部９ｊ、９ｋを端子台２の第１の絶縁板挿入溝２１に挿入する。第１の絶縁板挿入溝２１の両壁部には、夫々一対の第１の凸起部２ａ、第２の凸起部２ｂ、第３の凸起部２ｃが形成されているが、夫々の対の凸起部の間隔は、相間絶縁板９の側縁部９ｊ、９ｋの板厚よりも大きく形成されているので、端子台２と相間絶縁板９の上下方向の相対的位置関係を図４に示す状態に保った状態で相間絶縁板９は第１の絶縁板挿入溝２１内に挿入することができる。
【００３５】
次に、図４の矢印Ｂ方向に相間絶縁板９を移動させると、図５に示すように、相間絶縁板９の第１の絶縁板部９ａの第１の係止部９ｅと第２の係止部９ｆとが、夫々端子台２の第１の絶縁板挿入溝２１の第１の凸起部２ａと第３の凸起部２ｃとに係合すると共に、第２の絶縁板部９ｂの第１の係止部９ｇと第２の係止部９ｈとが、夫々端子台２の第１の絶縁板挿入溝２１の第２の凸起部２ｂと第３の凸起部２ｃとに係合して固定される。第１の絶縁板部９ａと第２の絶縁板部９ｂに設けられている第１の係止部９ｅと９ｇは、夫々の凸条が図の上部に於いて水平方向に折曲した折曲部９ｅ１、９ｇ１を有しているので、その折曲部９ｅ１、９ｇ１が第１の凸起部２ａと第２の凸起部２ｂに当接し、その位置で固定される。
【００３６】
以上のようにして、端子台２の第１の絶縁板挿入溝２１に相間絶縁板９が装着される。尚、端子台２の第２の絶縁板挿入溝２２にも、同様にして相間絶縁板９が装着される。
【００３７】
図５に示すように、端子台２に装着された２枚の相間絶縁板９は、Ｒ相の入力側端子３及び出力側端子６とＳ相の入力側端子４及び出力側端子７との相間を絶縁し、Ｓ相の入力側端子４及び出力側端子７とＴ相の入力側端子５及び出力側端子８との相間を夫々絶縁する。この場合、閉鎖配電盤の匡体内には仕切板が設けられていないので、そのまま匡体内に収納して、負荷側の接続導体に入力側端子３、４、５及び出力側端子６、７、８を匡体内に設けられている電源側の接続導体及び負荷側の接続端子に接続することができる。
【００３８】
次に、閉鎖配電盤の匡体内に仕切板１０が設けられている場合に於ける相間絶縁板９の装着について説明する。
【００３９】
この場合は、先ず、相間絶縁板９の２か所の脆弱部９ｄを折り曲げて切断することにより、切離部９ｃを第１の絶縁板部９ａと第２の絶縁板部９ｂとから切離し、第１の絶縁板部９ａと第２の絶縁板部９ｂとに分割する。
【００４０】
分割した第１の絶縁板部９ａと、第２の絶縁板部９ｂを、夫々図７に示す矢印Ａ方向に移動させて端子台２の第１の絶縁板挿入溝２１に挿入する。次に、第１の絶縁板部９ａと、第２の絶縁板部９ｂを、夫々矢印Ｂ方向に移動させると、図８に示すように、第１の絶縁板部９ａは、その第１の係止部９ｅと第２の係止部９ｆとが、夫々端子台２の第１の絶縁板挿入溝２１の第１の凸起部２ａと第３の凸起部２ｃとに係合して固定される。又、第２の絶縁板部９ｂは、その第１の係止部９ｇと第２の係止部９ｈとが、夫々端子台２の第１の絶縁板挿入溝２１の第２の凸起部２ｂと第３の凸起部２ｃとに係合して固定される。
【００４１】
前述したように、第１の絶縁板部９ａと第２の絶縁板部９ｂに設けられている第１の係止部９ｅと９ｇは、夫々の凸条が図の上部に於いて水平方向に折曲した折曲部９ｅ１、９ｇ１を有しているので、その折曲部９ｅ１、９ｇ１が第１の凸起部２ａと第２の凸起部２ｂに当接し、その位置で固定される。
【００４２】
図８に示すように、端子台２に装着された２枚の第１の絶縁板部９ａは、Ｒ相の入力側端子３とＳ相の入力側端子４との相間、及びＳ相の入力側端子４とＴ相の入力側端子５との相間を絶縁し、また、２枚の第２の絶縁板部９ｂは、Ｒ相の出力側端子６とＳ相の出力側端子７との相間、及びＳ相の出力側端子７とＴ相の出力側端子８との相間を夫々絶縁する。
【００４３】
この場合、閉鎖配電盤の匡体内には仕切板１０が設けられているが、第１の絶縁板部９ａと第２の絶縁板部９ｂとの間に切離部９ｃが存在しないので、引出形回路遮断器１００を匡体内に収納すると、匡体内に設けられている仕切板１０が、図８に示すように第１の絶縁板部９ａと第２の絶縁板部９ｂとの間に挿入され、この状態で負荷側の接続導体に入力側端子３、４、５及び出力側端子６、７、８を匡体内に設けられている電源側の接続導体及び負荷側の接続端子に接続することができる。
【００４４】
このように、相間絶縁板９の２か所の脆弱部９ｄを切断して切離部９ｃを切離すことにより、第１の絶縁板部９ａと第２の絶縁板部９ｂとに分割することができるので、仕切板１０がある場合においても、第１の絶縁板部９ａにより、Ｒ相入力端子３、Ｓ相入力端子４、Ｔ相の入力端子５の相間を絶縁することができ、第２の絶縁板部９ｂにより、Ｒ相出力端子６、Ｓ相出力端子７、Ｔ相出力端子８の相間を絶縁することができる。
【００４５】
仕切板係合部１１は、図９に示すように、仕切板１０の板厚が異なる場合に対処すべく第１の位置決め溝１１ａ、及び第２の位置決め溝１１ｂを有しており、仕切板１０の板厚が薄い場合は位置決め溝１１ａに、仕切板１０の板厚が厚い場合は位置決め溝１１ｂに嵌挿させることにより確実に仕切板１０の固定が可能となる。
【００４６】
以上のように、この発明の実施の形態１に係る引出形回路遮断器１００は、相間絶縁板９の略中央部に第１の絶縁板部９ａと第二の絶縁板部９ｂから切離可能に形成された切離部９ｃを備え、引出形遮断器１００を収納するときに、必要に応じて脆弱部９ｄを切断して切離部９ｃを切離して第１の絶縁板部９ａと第二の絶縁板部９ｂとに分割して端子台２に装着するようにしたので、引出形回路遮断器１００の端子装置１が閉鎖配電盤の仕切板１０に接触することなく引出形遮断器１００を収納することができる。
【００４７】
又、この発明の実施の形態１に係る相間絶縁板９は、脆弱部９ｄを備えており、脆弱部９ｄを手で折り曲げることにより、治具を用いずに第１の絶縁部９ａと第２の絶縁部９ｂに容易に分割することができる。
【００４８】
更に、この発明の実施の形態１に係る端子装置１は、仕切板係合部１１を設けているので、仕切板１０が保持することができる。又、溝幅の異なる位置決め溝１１ａ、１１ｂを備えているので、仕切板１０の板厚が異なる場合でも対応することができる。
【図面の簡単な説明】
【００４９】
【図１】この発明の実施形態１に於ける引出形回路遮断器の裏面を示す斜視図である。
【図２】この発明の実施の形態１に於ける相間絶縁板を、１方の面から示す斜視図である。
【図３】この発明の実施の形態１に於ける相間絶縁板を、他方の面から示す斜視図である。
【図４】この発明の実施の形態１に於ける端子装置に相間絶縁板を装着する前の状態を示す説明図である。
【図５】この発明の実施の形態１に於ける端子装置に相間絶縁板を装着した状態を示す説明図である。図１の相間絶縁板を装着後の要部拡大図である。
【図６】この発明の実施形態１に於ける引出形回路遮断器を閉鎖配電盤の筐体内に収納した状態を示す主要部の斜視図である。
【図７】この発明の実施の形態１に於ける端子装置に分割した相間絶縁板を装着する前の状態を示す説明図である。
【図８】この発明の実施の形態１に於ける端子装置に分割した相間絶縁板を装着した状態を示す説明図である。
【図９】仕切板係合部の斜視図である。
【符号の説明】
【００５０】
１００    引出形回路遮断器１００
１１０    引出形回路遮断器本体
１    端子装置
１０１、１０２    側板
２    端子台
３、４、５    入力側端子
６、７、８    出力側端子
２１    第１の絶縁板挿入溝
２２    第２の絶縁板挿入溝
２ａ    第１の凸起部
２ｂ    第２の凸起部
２ｃ    第３の凸起部
１１    仕切板係合部
１１ａ    第１の位置決め溝
１１ｂ    第２の位置決め溝
９    相間絶縁板
９ａ    第１の絶縁板部
９ｂ    第２の絶縁板部
９ｃ    切離部
９ｄ    脆弱部
９ｉ    端縁部
９ｊ    側縁部
９ｅ、９ｋ    第１の係止部
９ｆ、９ｈ    第２の係止部
９ｋ    側縁部
９ｍ    反端縁部
９ｎ    側縁部
９ｅ１、９ｇ１    折曲部
【図１】
0004925974.tif 000002
【図２】
0004925974.tif 000003
【図３】
0004925974.tif 000004
【図４】
0004925974.tif 000005
【図５】
0004925974.tif 000006
【図６】
0004925974.tif 000007
【図７】
0004925974.tif 000008
【図８】
0004925974.tif 000009
【図９】
0004925974.tif 000010